(57)【要約】【課題】設置場所の制約を受けることなく容易に意匠柄を変更することができる冷蔵庫を得る。【解決手段】冷蔵庫本体の外箱に取り付けられた扉（右側冷蔵室扉１）と、この扉の前面部を形成する外板１４の正面側に設置される意匠パネル１７と、を備え、意匠パネル１７は、意匠パネル１７に形成された第１の穴（貫通穴１５）と外板１４において第１の穴と対向する位置に形成された第２の穴（貫通穴９）とに挿入される締結部と、この締結部が締結される被締結部と、から成る締結構造により、外板１４の正面側に固定される。【選択図】図２
2015206478.tif 000002
【特許請求の範囲】
【請求項１】
冷蔵庫本体の外箱に取り付けられた扉と、
前記扉の前面部を形成する外板の正面側に設置される意匠パネルと、
を備え、
前記意匠パネルは、前記意匠パネルに形成された第１の穴と前記外板において前記第１の穴と対向する位置に形成された第２の穴とに挿入される締結部と、この締結部が締結される被締結部と、から成る締結構造により、前記外板の正面側に固定されることを特徴とする冷蔵庫。
【請求項２】
前記締結構造は、前記意匠パネルの正面側から前記第１の穴に挿入された前記締結部が、前記外板の前記第２の穴に形成された前記被締結部に螺入されるように構成されていることを特徴とする請求項１に記載の冷蔵庫。
【請求項３】
前記締結構造は、前記外板の背面側から前記外板の前記第２の穴に形成された前記被締結部に螺入され、かつ、前記意匠パネルの前記第１の穴を介して前記意匠パネルの正面側に突出する前記締結部が、前記意匠パネルの正面側に配置される前記被締結部に螺入されるように構成されていることを特徴とする請求項１に記載の冷蔵庫。
【請求項４】
前記意匠パネルは、有色透明、無色透明、または半透明板の材質で形成されていることを特徴とする請求項１から３の何れか１項に記載の冷蔵庫。
【請求項５】
前記扉の背面部を形成する内板と前記外板の周囲を覆うキャップには、前記意匠パネルの下部に係り止めする受け形状が形成されていることを特徴とする請求項１から４の何れか１項に記載の冷蔵庫。
【請求項６】
前記扉の背面部を形成する内板と前記外板の周囲を覆うキャップには、前記意匠パネルの側面を保持するヒンジが形成されていることを特徴とする請求項１から４の何れか１項に記載の冷蔵庫。
【発明の詳細な説明】
【技術分野】
【０００１】
本発明は、冷蔵庫に関するものである。
【背景技術】
【０００２】
冷蔵庫扉の外板表面に彩色を施した冷蔵庫として、例えば下記特許文献１に示す従来技術では、冷蔵庫本体の前面開口を閉塞する扉本体の前面に有色透明あるいは半透明板のカバーが装着され、当該カバーを扉本体に装着した後に、カバーと扉本体の組の上方より上キャップが装着され、カバーと扉本体の組の下方より下キャップが装着される。このように構成することで、カバーを介して扉本体に施された意匠柄をユーザに提供することができるだけでなく、カバーと扉本体との間に意匠板を介在させることで様々な意匠柄をユーザへ提供可能に構成されている。
【０００３】
また下記特許文献２に示す従来技術は、扉本体の前面に配置される前面板と、その前面板の前側に配置され前面板から所定間隔離れた位置に配置される透明板と、扉本体の両側縁部に配置される一対の巻き取り機構と、各巻き取り機構内の巻き取り軸間に連なるように設けられ前面板と透明板との間の隙間において移動可能に配置される意匠柄を施したフィルムと、を有して構成されており、巻き取り機構を操作することで様々な意匠柄をユーザに提供可能に構成されている。
【０００４】
また下記特許文献３に示す従来技術は、扉本体の周縁側部と、周縁側部と扉本体の前面との間に形成された溝の上方から挿入されて扉本体の前面の一部を覆うように取り付けられる化粧板と、前記溝の上方から挿入された化粧板の上端に設けられた仕切り板を介して化粧板の上部に配置される透明または半透明の合成樹脂板と、周縁側部の上部の開口部を閉塞するように配置される押え板と、を有して構成されており、押え板を周縁側部に固定するためのねじを外した後、合成樹脂板と扉本体との間に絵画などの意匠柄を挿入することで様々な意匠柄をユーザに提供可能に構成されている。
【先行技術文献】
【特許文献】
【０００５】
【特許文献１】特開平２−４０４７８号公報
【特許文献２】実開昭６１−７９１８２号公報
【特許文献３】実公昭４６−１６０５２号公報
【発明の概要】
【発明が解決しようとする課題】
【０００６】
しかしながら、上記特許文献１の従来技術によれば、カバーを扉本体に装着した後に、カバーと扉本体の組の上方より上キャップが装着され、カバーと扉本体の組の下方より下キャップが装着される構造であるため、意匠柄を交換するためには、扉本体を分解するような行程を経なければならない。すなわちカバーと扉本体との組から上キャップと下キャップを取り外した上で意匠柄を交換しなければならず、ユーザが意匠柄を任意に変更することが困難である。
【０００７】
一方、上記特許文献２の従来技術によれば、巻取り機構を備えることによって扉本体の形状を維持したまま意匠柄を変更することが可能である。ところが、意匠柄を施したフィルムを巻取るための機構などが必要であるため扉本体には非常に大きなモジュールを設ける必要があり、例えば比較的狭い空間に冷蔵庫が設置された場合には冷蔵庫の横側に位置する壁などに巻取り機構などが干渉してしまい扉本体の開角度が大きく取れず、食品の出し入れが難しくなるという課題があった。また巻取り機構が扉本体の前面に張り出した形となるため美観を損なうと共に、巻取り機構を構成する部品が多いため製作コストの増加を招くという課題もあった。
【０００８】
また上記特許文献３の従来技術によれば、上記特許文献２の従来技術のような大きなモジュールを用いることなく意匠柄を変更することが可能であるが、上部キャップの取外しによって扉周囲のガスケットの密着性が低下するだけでなく、意匠柄変更時には上方向にのみ意匠柄が抜き差しされるため天井が低い環境では意匠柄の出し入れが難しくなると共に、高所作業となり危険であるため安全性に課題が残る。
【０００９】
本発明は、上記に鑑みてなされたものであって、設置場所の制約を受けることなく容易に意匠柄を変更することができる冷蔵庫を得ることを目的とする。
【課題を解決するための手段】
【００１０】
上述した課題を解決し、目的を達成するために、本発明は、冷蔵庫本体の外箱に取り付けられた扉と、前記扉の前面部を形成する外板の正面側に設置される意匠パネルと、を備え、前記意匠パネルは、前記意匠パネルに形成された第１の穴と前記外板において前記第１の穴と対向する位置に形成された第２の穴とに挿入される締結部と、この締結部が締結される被締結部と、から成る締結構造により、前記外板の正面側に固定されることを特徴とする。
【発明の効果】
【００１１】
この発明によれば、設置場所の制約を受けることなく容易に意匠柄を変更することができる、という効果を奏する。
【図面の簡単な説明】
【００１２】
【図１】図１は、本発明の実施の形態１に係る冷蔵庫の外観斜視図である。
【図２】図２は、図１に示される冷蔵室扉と冷蔵室扉に取り付けられる意匠パネルの分解斜視図である。
【図３】図３は、図２に示される意匠パネルと外板とこれらを固定するねじとを含む面の断面図である。
【図４】図４は、図１に示される冷蔵室扉の断面図である。
【図５】図５は、図２に示す意匠パネルに代えて他の意匠パネルを取り付ける状態を示す冷蔵室扉の分解斜視図である。
【図６】図６は、従来の冷蔵庫の扉の外観を表す第１の図である。
【図７】図７は、従来の冷蔵庫の扉の外観を表す第２の図である。
【図８】図８は、従来の冷蔵庫の扉の外観を表す第３の図である。
【図９】図９は、本発明の実施の形態２に係る冷蔵庫の冷蔵室扉と冷蔵室扉に取り付けられる透明パネルの分解斜視図である。
【図１０】図１０は、本発明の実施の形態３に係る冷蔵庫の冷蔵室扉と冷蔵室扉に取り付けられる透明パネルの分解斜視図である。
【図１１】図１１は、本発明の実施の形態４に係る冷蔵庫の冷蔵室扉と冷蔵室扉に取り付けられる透明パネルの分解斜視図である。
【発明を実施するための形態】
【００１３】
以下に、本発明に係る冷蔵庫の実施の形態を図面に基づいて詳細に説明する。なお、この実施の形態によりこの発明が限定されるものではない。
【００１４】
実施の形態１．
図１は、本発明の実施の形態１に係る冷蔵庫の外観斜視図である。図２は、図１に示される冷蔵室扉と冷蔵室扉に取り付けられる意匠パネルの分解斜視図である。図３は、図２に示される意匠パネルと外板とこれらを固定するねじとを含む面の断面図である。図４は、図１に示される冷蔵室扉の断面図である。図５は、図２に示す意匠パネルに代えて他の意匠パネルを取り付ける状態を示す冷蔵室扉の分解斜視図である。
【００１５】
図１に示すように冷蔵庫３０は、鋼板製の外箱３１と樹脂製の内箱（図示せず）とを備え、外箱３１は天井面、底面、両側面、および背面を備える。外箱３１と内箱との間に形成される空間内には真空断熱材が配置され、さらに硬質ウレタンフォームなどの発泡断熱材１８（図４参照）が充填されている。
【００１６】
図１の冷蔵庫３０はその内部が六つの室に仕切られ、上部に冷蔵室、冷蔵室の下方の左側に製氷室、冷蔵室の下方の右側に切替室、製氷室と切替室の下方に冷凍室、冷凍室の下方に野菜室が形成されている。冷蔵室の前方開口には観音開き式の左右１対の冷蔵室扉（右側冷蔵室扉１、左側冷蔵室扉６）が設けられている。以下同様に、製氷室の前方には製氷室扉２、切替室の前方には切替室扉３、冷凍室の前方には冷凍室扉４、野菜室の前方には野菜室扉５が設けられている。
【００１７】
図２に示される冷蔵室扉（例えば右側冷蔵室扉１）は、扉内面を構成する樹脂製の内板１０と、正面意匠面を構成する鋼板製の外板１４と、内板１０と外板１４の周囲を覆う上面キャップ１１、側面キャップ１２、および下面キャップ１３とを有して構成される。外板１４と内板１０と各キャップで形成される空間には図４に示されるように発砲断熱材１８が充填されている。
【００１８】
外板１４は、内板１０の前面側（冷蔵庫３０の正面側）に所定の間隔を隔てて内板１０と平行に配置される。この外板１４の四隅には雌ねじ部１６が施された貫通穴９が形成され、意匠パネル１７の四隅には、外板１４の貫通穴９と対向する位置に貫通穴１５が形成されている。
【００１９】
図３には外板１４に意匠パネル１７を固定するための２つの締結構造７、８が示されている。図３（ａ）の締結構造７は、意匠パネル１７の正面側１７ａから意匠パネル１７の貫通穴１５に挿入されたねじ１９が、外板１４の貫通穴９に形成された雌ねじ部１６ｂに螺入されるように構成されている。図示例のように意匠パネル１７を設置する場合、先ず、意匠パネル１７の貫通穴１５と外板１４の貫通穴９とが連通するように外板１４の正面側１４ａに意匠パネル１７の背面側１７ｂが設置される。次に、この状態で意匠パネル１７の正面側１７ａから貫通穴１５に向けてねじ１９が挿入される。そして、貫通穴１５に挿入した雄ねじ部１９ｂを外板１４の雌ねじ部１６に螺入することで意匠パネル１７が外板１４の正面側１４ａに固定される。
【００２０】
図３（ａ）の例では、外板１４の背面側１４ｂに、雌ねじ部１６と連通するように有底円筒状のねじ締結部１６ａが施されている。外板１４の厚みは比較的薄いため、外板１４の雌ねじ部１６だけでねじ１９を固定した場合、ねじ１９の締め付け代が不十分となり所望の締め付けトルクを確保できない可能性があるが、図示例のようにねじ締結部１６ａを設けることにより、ねじ１９の締め付け代を大きく取ることができる。
【００２１】
なお、図示例のねじ締結部１６ａは、発砲断熱材１８を充填する際に発砲断熱材１８が機外側へ漏れ出ることを防ぐため有底円筒状に形成されているが、ねじ締結部１６ａの形状はこれに限定されるものではなく、ねじ頭１９ａが外板１４の正面側１４ａに接した状態でねじ１９の締め付け代が十分確保されるように形成されていればよく、例えば無底円筒状に形成してもよいし、外板１４の雌ねじ部１６と連通するように背面側１４ｂに固定した六角ナットをねじ締結部１６ａとしてもよい。
【００２２】
また、ねじ１９はドライバーなどの工具で締結するタイプのものでもよいが、工具を用いなくとも着脱できるように、例えばねじ頭１９ａの外周部にローレット加工を施したローレットビスをねじ１９として用いることが望ましい。
【００２３】
また図示例では、ねじ頭１９ａが意匠パネル１７の正面側１７ａから突出しているが、雄ねじ部１９ｂにザグリ加工を施して、皿ビスをねじ１９として用いてもよい。皿ビス状のねじ１９を用いることによって、ねじ１９の頭部が意匠パネル１７の正面側１７ａから突出しないようにすることができる。
【００２４】
一方、図３（ｂ）の締結構造８は、外板１４の背面側１４ｂから外板１４の貫通穴９に形成された雌ねじ部１６に螺入され、かつ、意匠パネル１７の貫通穴１５を介して意匠パネル１７の正面側に突出するねじ１９が、意匠パネル１７の正面側１７ａに配置されるナット２０に螺入されるように構成されている。締結構造８では、予め外板１４の背面側１４ｂから雌ねじ部１６に向けて雄ねじ部１９ｂが螺入され、雄ねじ部１９ｂは、ねじ頭１９ａが背面側１４ｂに接した状態で固定されている。そして図示例のように意匠パネル１７を設置する場合、外板１４の正面側１４ａに突出した雄ねじ部１９ｂが意匠パネル１７の貫通穴１５に挿入されるように、外板１４の正面側１４ａに意匠パネル１７の背面側１７ｂが設置される。このように意匠パネル１７を設置することで貫通穴１５に挿入された雄ねじ部１９ｂの端部が意匠パネル１７の正面側１７ａに突出するため、その端部にナット２０の雌ねじ部２０ａを締結することで意匠パネル１７が外板１４の正面側１４ａに固定される。なお、ナット２０は、工具を用いなくとも着脱できるように、例えば外周部にローレット加工を施したローレットナットをナット２０として用いることが望ましい。
【００２５】
外板１４の正面側１４ａに設置された意匠パネル１７を取り外す場合、前述した図３（ａ）の構造では、ねじ１９をある程度外して雄ねじ部１９ｂの先端部が僅かに雌ねじ部１６へ螺入された状態で、意匠パネル１７が落下しないように押さえながらねじ１９を取り外せばよい。これに対して図３（ｂ）の構造では、ナット２０を外しても意匠パネル１７が即座に落下することがないため、全てのナット２０を外した後に意匠パネル１７を取り外せばよい。
【００２６】
図５は、図２に示す意匠パネルに代えて他の意匠パネルを取り付ける状態を示す冷蔵室扉の分解斜視図である。図５の構成例では、図２に示される上面キャップ１１、側面キャップ１２、および下面キャップ１３が内板１０と一体に固定されているが、基本的な構成は図２の構成例と同様である。相違点は図２に示す意匠パネル１７とは異なる意匠パネル１７−１が用いられている点である。前述したように外板１４の正面側１４ａに設置された意匠パネル１７（図２参照）を取り外して、意匠パネル１７の図柄とは異なる図柄が描かれた意匠パネル１７−１へ交換する場合でも図３に示される締結構造７、８によって交換作業を容易に行うことができる。
【００２７】
図６は、従来の冷蔵庫の扉の外観を表す第１の図であり、前述した特許文献１に開示される構造を表すものである。この従来の構造では、冷蔵庫本体の前面開口を閉塞する扉本体５２の前面に有色透明あるいは半透明板のカバー５０が装着され、当該カバー５０を扉本体５２に装着した後に、カバー５０と扉本体５２の組の上方より上キャップ５４が装着され、カバー５０と扉本体５２の組の下方より下キャップ５３が装着される。ところがこの従来の構造では、カバー５０を扉本体５２に装着した後に、カバー５０と扉本体５２の組の上方より上キャップ５４が装着され、カバー５０と扉本体５２の組の下方より下キャップ５３が装着されるため、カバー５０と扉本体５２の間に組み込まれた意匠柄５１を交換する場合、扉本体５２を分解するような行程を経なければなければならず、ユーザが意匠柄を任意に変更することが困難である。
【００２８】
図７は、従来の冷蔵庫の扉の外観を表す第２の図であり、前述した特許文献２に開示される構造を表すものである。この従来の構造では、扉本体６０の前面に配置される前面板と、その前面板の前側に配置され前面板から所定間隔離れた位置に配置される透明板６２と、扉本体６０の両側縁部に配置される一対の巻き取り機構６１と、各巻き取り機構内の巻き取り軸間に連なるように設けられ前面板と透明板６２との間の隙間において移動可能に配置される意匠柄を施したフィルム６３と、を有して構成されている。ところがこの従来の構造では、意匠柄を施したフィルム６３の巻取るため扉本体６０に大きなモジュール（巻き取り機構６１など）を設ける必要があり、比較的狭い空間に冷蔵庫が設置された場合には扉本体６０の開角度が大きく取れず、食品の出し入れが難しくなるという課題があった。また巻取り機構６１が扉本体６０の前面に張り出した形となるため美観を損なうと共に、巻取り機構６１を構成する部品が多く、製作コストの増加を招くという課題もあった。
【００２９】
図８は、従来の冷蔵庫の扉の外観を表す第３の図であり、前述した特許文献３に開示される構造を表すものである。この従来の構造では、扉本体の周縁側部７４と、周縁側部７４と扉本体の前面との間に形成された溝の上方から挿入されて扉本体の前面の一部を覆うように取り付けられる化粧板７６と、前記溝の上方から挿入された化粧板７６の上端に設けられた仕切り板７５を介して化粧板７６の上部に配置される透明または半透明の合成樹脂板７３と、周縁側部７４の上部の開口部を閉塞するように配置される押え板７１と、を有して構成されており、押え板７１を周縁側部７４に固定するためのねじ７０を外した後、合成樹脂板７３と扉本体との間に絵画７２などの意匠柄を挿入することで様々な意匠柄をユーザに提供可能に構成されている。ところがこの従来の構造では、押え板７１の取外しによって扉周囲のガスケットの密着性が低下するだけでなく、意匠柄変更時には上方向にのみ意匠柄が抜き差しされるため天井が低い環境では意匠柄の出し入れが難しくなると共に、高所作業となり危険であるため安全性に課題が残る。
【００３０】
これらの従来の構造に対して本実施の形態に係る冷蔵庫３０は、図３に示される締結構造７、８を用いて外板１４に意匠パネル１７を固定することができるため、図６および図８に示される構造のように扉本体を分解するような行程が不要であるため、ユーザが容易に意匠柄を変更することが可能である。また図７に示される構造のように扉本体に大きなモジュールを設ける必要がないため、比較的狭い空間に冷蔵庫が設置された場合でも扉本体の開角度が大きく取れ、食品の出し入れが難しくなることがない。また美観を損なうこともなく、さらに製作コストの増加を招くこともない。
【００３１】
なお、本実施の形態に係る貫通穴１５および雌ねじ部１６の数は、図示例のように各々４つに限定されるものではないが、図示例のように貫通穴１５および雌ねじ部１６を各々４つ設けることにより、貫通穴１５および雌ねじ部１６が各々４つ未満である場合に比べて、意匠パネル１７を外板１４に堅牢に固定することができる。特に観音開き式の冷蔵室扉（右側冷蔵室扉１、左側冷蔵室扉６）は、例えば開放時に冷蔵庫３０の横側に位置する壁へ干渉する虞があることから、扉の開閉時における局所的な力が意匠パネル１７に作用する虞がある。このような衝撃に耐えるように堅牢に意匠パネル１７を固定するためには本実施の形態に係る冷蔵庫３０のように貫通穴１５および雌ねじ部１６を各々４つ設けることが有効であり、このように構成することで局所的な力が分散され、意匠パネル１７が変形あるいは損傷するのを効果的に防止することができる。
【００３２】
また本実施の形態では、図３に示される締結構造７、８を右側冷蔵室扉１に適用して意匠パネル１７を取り付ける例を説明したが、図３に示される締結構造７、８は観音開き式の冷蔵室扉以外の扉に対しても適用することができる。
【００３３】
また本実施の形態では、意匠パネル１７の四隅に貫通穴１５が形成され、この貫通穴１５と対向する位置に外板１４の雌ねじ部１６が形成されているが、貫通穴１５と雌ねじ部１６の位置はこれに限定されるものではなく、意匠パネル１７および外板１４の中央部を中心として対称な位置に形成すればよい。例えば意匠パネル１７の上辺部の中央に貫通穴１５を形成する場合には意匠パネル１７の下辺部の中央にも貫通穴１５を形成し、外板１４の雌ねじ部１６もこれらの貫通穴１５と対向する位置に形成されるものとする。
【００３４】
以上に説明したように本実施の形態に係る冷蔵庫３０は、冷蔵庫本体の外箱３１に取り付けられた扉（１〜５の扉の何れか）と、この扉の前面部を形成する外板１４の正面側１４ａに設置される意匠パネル１７と、を備え、意匠パネル１７は、意匠パネル１７に形成された第１の穴（貫通穴１５）と外板１４において第１の穴と対向する位置に形成された第２の穴（貫通穴９）とに挿入される締結部（ねじ１９）と、この締結部が締結される被締結部（雌ねじ部１６、雌ねじ部１６ｂ、ナット２０、雌ねじ部２０ａ）と、から成る締結構造７、８により、外板１４の正面側１４ａに固定される。この構成により、冷蔵庫３０としての基本機能を確保しつつ、使用者が容易にかつ安全に意匠柄を変更することが可能である。また外板１４の正面側１４ａには意匠パネル１７、ねじ１９の一部、ナット２０などが配置されるだけであるため、扉本体の開角度が大きく取れ、食品の出し入れが難しくなることがなく、美観を損なうこともない。また複雑な機構を用いる必要がないため製作コストを抑えることができると共に、構造が簡素化されるため、信頼性が向上し、冷蔵庫３０を構成する部品の製造時の歩留りが向上し、当該部品の原材料の減容化や包装の減量化を図ることができる。
【００３５】
実施の形態２．
図９は、本発明の実施の形態２に係る冷蔵庫の冷蔵室扉と冷蔵室扉に取り付けられる透明パネルの分解斜視図である。実施の形態１との相違点は意匠パネル１７、１７−１の代わりに、有色透明、無色透明、または半透明板の材料で形成された透明パネル１７−２が用いられている点である。以下、実施の形態１と同一部分には同一符号を付してその説明を省略し、ここでは異なる部分についてのみ述べる。
【００３６】
図９に示される透明パネル１７−２と外板１４との間には意匠柄を施したシート状の部材（意匠シート２１）が介在する。すなわち透明パネル１７−２と外板１４とで意匠シート２１を挟む形となっており、透明パネル１７−２を介して意匠シート２１の意匠柄を使用者に提供することができる。なお、図示例では一例として意匠シート２１の四隅において外板１４の貫通穴９と対向する位置に貫通穴１５−１が形成されている。これは意匠シート２１の位置ずれを防止するための措置であり、意匠シート２１がねじ１９に干渉しない大きさであれば貫通穴１５−１は省いてもよい。
【００３７】
意匠シート２１を交換する場合には、実施の形態１の意匠パネル１７と同様に、締結構造７のねじ１９を緩め、または締結構造８のナット２０を緩めた上で、外板１４の正面側１４ａに設置された意匠シート２１を取り外し、異なる図柄が描かれた意匠シート２１へ交換する。その後、意匠パネル１７−１の正面側に透明パネル１７−２を取り付けて締結構造７のねじ１９を締結し、または締結構造８のナット２０を締結する。
【００３８】
このように透明パネル１７−２を用いることで実施の形態１と同様の効果を得ることができると共に、意匠パネル１７−１の大きさに対して制約を受けることがなくなり、実施の形態１に比べてより多くの意匠柄を選択することが可能となる。
【００３９】
実施の形態３．
図１０は、本発明の実施の形態３に係る冷蔵庫の冷蔵室扉と冷蔵室扉に取り付けられる透明パネルの分解斜視図である。実施の形態２との相違点は、下面キャップ１３に透明パネル１７−２の受け形状２２（鍔部２２ａおよび係止部２２ｂ）が追加されている点である。以下、実施の形態２と同一部分には同一符号を付してその説明を省略し、ここでは異なる部分についてのみ述べる。
【００４０】
図１０（ａ）に示されるように下面キャップ１３には透明パネル１７−２の受け形状２２が形成されている。図１０（ｂ）は図１０（ａ）に示される符号Ａの箇所を拡大したものであり、受け形状２２は下面キャップ１３と一体に形成され正面側に突出する鍔部２２ａと、鍔部２２ａの先端部と一体に形成され垂直方向に延びる係止部２２ｂとから成る。図示例では受け形状２２が下面キャップ１３の端部付近に各々１ずつ（計２カ所）設けられているが、受け形状２２の数は２つに限定されるものではない。また本実施の形態では透明パネル１７−２が用いられているが、透明パネル１７−２の代わりに意匠パネル１７を用いてもよい。
【００４１】
このように扉の背面部を形成する内板１０と外板１４の周囲を覆うキャップ（下面キャップ１３）には、意匠パネル（意匠パネル１７、透明パネル１７−２）の下部に係り止めする受け形状２２が形成されている。これにより、例えば締結構造７のねじ１９を外し、または締結構造８のナット２０を外した場合でも、透明パネル１７−２を落下させることなく保持することができる。従って、実施の形態２と同様の効果を得ることができると共に、透明パネル１７−２を外板１４から完全に取り外してから意匠シート２１（図９参照）を交換する必要がないため実施の形態２に比べて意匠柄の変更が容易になる。
【００４２】
実施の形態４．
図１１は、本発明の実施の形態４に係る冷蔵庫の冷蔵室扉と冷蔵室扉に取り付けられる透明パネルの分解斜視図である。実施の形態３との相違点は、受け形状２２の代わりにヒンジ２３が用いられている点である。以下、実施の形態３と同一部分には同一符号を付してその説明を省略し、ここでは異なる部分についてのみ述べる。
【００４３】
図１１に示されるように側面キャップ１２にはヒンジ２３が設けられている。図示例ではヒンジ２３が側面キャップ１２の端部付近に各々１ずつ（計２カ所）設けられているが、ヒンジ２３の数は２つに限定されるものではない。また図１１には、ねじ１９すなわち締結構造７で透明パネル１７−２を固定した場合の例が示されているが締結構造８で透明パネル１７−２を固定する場合も同様である。
【００４４】
このように内板１０と外板１４の周囲を覆うキャップ（側面キャップ１２）には、意匠パネル（意匠パネル１７、透明パネル１７−２）の側面を保持するヒンジ２３が形成されている。これにより、例えば締結構造７のねじ１９を外し、または締結構造８のナット２０を外した場合でも、ヒンジ２３のヒンジ軸を中心として透明パネル１７−２を開閉することができ、実施の形態３と同様に透明パネル１７−２を保持することができる。従って、実施の形態３と同様の効果を得ることができると共に、以下のような効果を得ることができる。実施の形態３では透明パネル１７−２の上側のねじ１９やナット２０が外されたとき、透明パネル１７−２が受け形状２２に設置される形となるため、透明パネル１７−２の下端部付近では透明パネル１７−２と外板１４の間の隙間が狭くなり、意匠シート２１がこの隙間に挟まるなどして交換作業が難しい場合も想定される。これに対して実施の形態４では、扉の横方向から意匠シート２１の交換ができる。またヒンジ２３で透明パネル１７−２が保持されているため、ユーザは透明パネル１７−２が倒れないように透明パネル１７−２を押さえる必要がない。このように実施の形態４によれば実施の形態３に比べて意匠柄の変更が容易になる。
【００４５】
また、以上に説明した実施の形態１〜４によれば、意匠パネル１７、透明パネル１７−２、および意匠シート２１が発砲断熱材１８の発泡熱や発泡圧による影響を受けることがなくなり、意匠パネル１７、透明パネル１７−２、および意匠シート２１に使用する部材に対して熱的な制約を受けることがなくなり、製造原価を抑制することができ、かつ、意匠柄の不良による歩留りが大きく改善される。
【００４６】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００４７】
以上のように、本発明は、冷蔵庫に適用可能であり、特に、設置場所の制約を受けることなく容易に意匠柄を変更することができる発明として有用である。
【符号の説明】
【００４８】
１  右側冷蔵室扉、２  製氷室扉、３  切替室扉、４  冷凍室扉、５  野菜室扉、６  左側冷蔵室扉、７  締結構造、８  締結構造、９  貫通穴（第２の穴）、１０  内板、１１  上面キャップ、１２  側面キャップ、１３  下面キャップ、１４  外板、１４ａ  正面側、１４ｂ  背面側、１５  貫通穴（第１の穴）、１５−１  貫通穴、１６  雌ねじ部（被締結部）、１６ａ  ねじ締結部、１６ｂ  雌ねじ部（被締結部）、１７，１７−１  意匠パネル、１７−２  透明パネル、１７ａ  正面側、１７ｂ  背面側、１８  発砲断熱材、１９  ねじ（締結部）、１９ａ  ねじ頭、１９ｂ  雄ねじ部、２０  ナット（被締結部）、２０ａ  雌ねじ部（被締結部）、２１  意匠シート、２２  受け形状、２２ａ  鍔部、２２ｂ  係止部、２３  ヒンジ、３０  冷蔵庫、３１  外箱。
【図１】
2015206478.tif 000003
【図２】
2015206478.tif 000004
【図３】
2015206478.tif 000005
【図４】
2015206478.tif 000006
【図５】
2015206478.tif 000007
【図６】
2015206478.tif 000008
【図７】
2015206478.tif 000009
【図８】
2015206478.tif 000010
【図９】
2015206478.tif 000011
【図１０】
2015206478.tif 000012
【図１１】
2015206478.tif 000013